(57)【特許請求の範囲】
【請求項１】
相手側ロック部を有する相手側コネクタと嵌合可能なコネクタであって、
前記コネクタは、第１ハウジングと、第２ハウジングと、コンタクトとを備えており、
前記第１ハウジングは、少なくとも部分的に前記コンタクトを収容しており、
前記コンタクトには、所定方向に延びるようにケーブルの端部を保持するケーブル保持部が設けられており、
前記第２ハウジングは、前記第１ハウジングに取り付けられ、前記第１ハウジングと共に前記コンタクトを保持するものであり、
前記第２ハウジングには、引掛け部と、弾性変形可能なバネ部と、前記バネ部に支持された操作部及びロック部とが設けられており、
前記ロック部は、前記コネクタと前記相手側コネクタとが嵌合した際に、前記相手側ロック部をロックするものであり、
前記引掛け部は、前記操作部を操作する際に指をかける部分であり、前記所定方向において前記操作部から離れて位置しており、
前記操作部は、前記引掛け部側に移動させるように操作されると、前記ロック部の前記相手側ロック部に対する前記ロックを解除するものであり、
前記コネクタは、前記相手側コネクタと嵌合方向に沿って嵌合するものであり、
前記所定方向と前記嵌合方向とは互いに直交している
コネクタ。
【請求項２】
請求項１記載のコネクタであって、
前記引掛け部は、前記所定方向と直交する直交方向と前記所定方向の双方と交差しており、
前記ケーブルの前記端部が前記ケーブル保持部に保持された状態において、前記引掛け部は前記直交方向において前記ケーブルから離れて位置している
コネクタ。
【請求項３】
請求項１又は請求項２記載のコネクタであって、
前記操作部は、前記所定方向と直交する直交方向と前記所定方向の双方と交差している
コネクタ。
【請求項４】
請求項１乃至請求項３のいずれかに記載のコネクタであって、
前記第１ハウジングは、前記第２ハウジングの材料よりも硬い材料からなる
コネクタ。
【請求項５】
請求項１乃至請求項４のいずれかに記載のコネクタであって、
前記第２ハウジングには、前記バネ部に支持されたシーソー部が設けられており、
前記操作部と前記ロック部とは、前記シーソー部に設けられている
コネクタ。
【請求項６】
請求項５記載のコネクタであって、
前記第１ハウジングには、第１位置規制部が設けられており、
前記シーソー部には、第２位置規制部が設けられており、
前記第２位置規制部は、前記第１位置規制部と対向しており、
前記シーソー部に対して前記第１ハウジングに向かう力が加えられた際に、前記第２位置規制部が前記第１位置規制部に突き当り、前記シーソー部の移動を規制する
コネクタ。
【請求項７】
請求項１乃至請求項６のいずれかに記載のコネクタであって、
前記ロック部と前記バネ部とは、前記コネクタと前記相手側コネクタの前記嵌合方向において、異なる位置に位置している
コネクタ。
【請求項８】
請求項１乃至請求項７のいずれかに記載のコネクタであって、
前記相手側ロック部は、突起であり、
前記ロック部は、前記相手側ロック部の前記突起に対応する孔である
コネクタ。
【請求項９】
請求項１乃至請求項８のいずれかに記載のコネクタであって、
前記第２ハウジングには、保持突起が設けられており、
前記保持突起は、前記コンタクトを前記第１ハウジングに対して押し付けており、それによって、前記コンタクトは、前記第１ハウジングと前記第２ハウジングとに保持されている
コネクタ。
【発明の詳細な説明】
【技術分野】
【０００１】
本発明は、ケーブルに接続されるコネクタに関する。
【背景技術】
【０００２】
特許文献１は、ケーブルに接続されるコネクタを開示している。図１７を参照すると、特許文献１のコネクタ９００は、ハウジング９１０と、コンタクト９２０とを備えている。ハウジング９１０には、ロック部９１２と操作部９１４が設けられている。ロック部９１２は、コネクタ９００が相手側コネクタ９５０に嵌合した際に、相手側ロック部９５２をロックする。操作部９１４が操作されると、ロック部９１２の相手側ロック部９５２に対するロックが解除される。コンタクト９２０には、ケーブル９７０が接続されている。ケーブル９７０は、コネクタ９００と相手側コネクタ９５０との嵌合方向（Ｘ方向）と直交する方向（Ｚ方向）に延びている。
【先行技術文献】
【特許文献】
【０００３】
【特許文献１】特開２００９−４２４７号公報
【発明の概要】
【発明が解決しようとする課題】
【０００４】
特許文献１のコネクタ９００の構造には、ケーブル９７０のコンタクト９２０に対する接続やケーブル９７０を接続されたコンタクト９２０とハウジング９１０の組立が困難であるという問題がある。
【０００５】
ここで、横一列に配置された複数の相手側コネクタに対して複数のコネクタを接続した状態において、他のコネクタや他のコネクタに接続されたケーブルが邪魔になることなく、一つのコネクタをその相手側コネクタから抜去することを可能とする構造に対する要求がある。
【０００６】
本発明は、ケーブルを接続されたコンタクトとハウジングとの組立を容易にする構造であって上述した要求に応えることのできる構造を有するコネクタを提供することを目的とする。
【課題を解決するための手段】
【０００７】
本発明は、第１のコネクタとして、
相手側ロック部を有する相手側コネクタと嵌合可能なコネクタであって、
前記コネクタは、第１ハウジングと、第２ハウジングと、コンタクトとを備えており、
前記第１ハウジングは、少なくとも部分的に前記コンタクトを収容しており、
前記コンタクトには、所定方向に延びるようにケーブルの端部を保持するケーブル保持部が設けられており、
前記第２ハウジングは、前記第１ハウジングに取り付けられ、前記第１ハウジングと共に前記コンタクトを保持するものであり、
前記第２ハウジングには、引掛け部と、弾性変形可能なバネ部と、前記バネ部に支持された操作部及びロック部とが設けられており、
前記ロック部は、前記コネクタと前記相手側コネクタとが嵌合した際に、前記相手側ロック部をロックするものであり、
前記引掛け部は、前記操作部を操作する際に指をかける部分であり、前記所定方向において前記操作部から離れて位置しており、
前記操作部は、前記引掛け部側に移動させるように操作されると、前記ロック部の前記相手側ロック部に対する前記ロックを解除するものである
コネクタを提供する。
【０００８】
また、本発明は、第２のコネクタとして、第１のコネクタであって、
前記コネクタは、前記相手側コネクタと嵌合方向に沿って嵌合するものであり、
前記所定方向と前記嵌合方向とは互いに交差している
コネクタを提供する。
【０００９】
また、本発明は、第３のコネクタとして、第１又は第２のコネクタであって、
前記引掛け部は、前記所定方向と直交する直交方向と前記所定方向の双方と交差しており、
前記ケーブルの前記端部が前記ケーブル保持部に保持された状態において、前記引掛け部は前記直交方向において前記ケーブルから離れて位置している
コネクタを提供する。
【００１０】
また、本発明は、第４のコネクタとして、第１乃至第３のいずれかのコネクタであって、
前記操作部は、前記所定方向と直交する直交方向と前記所定方向の双方と交差している
コネクタを提供する。
【００１１】
また、本発明は、第５のコネクタとして、第１乃至第４のいずれかのコネクタであって、
前記第１ハウジングは、前記第２ハウジングの材料よりも硬い材料からなる
コネクタを提供する。
【００１２】
また、本発明は、第６のコネクタとして、第１乃至第５のいずれかのコネクタであって、
前記第２ハウジングには、前記バネ部に支持されたシーソー部が設けられており、
前記操作部と前記ロック部とは、前記シーソー部に設けられている
コネクタを提供する。
【００１３】
また、本発明は、第７のコネクタとして、第６のコネクタであって、
前記第１ハウジングには、第１位置規制部が設けられており、
前記シーソー部には、第２位置規制部が設けられており、
前記第２位置規制部は、前記第１位置規制部と対向しており、
前記シーソー部に対して前記第１ハウジングに向かう力が加えられた際に、前記第２位置規制部が前記第１位置規制部に突き当り、前記シーソー部の移動を規制する
コネクタを提供する。
【００１４】
また、本発明は、第８のコネクタとして、第１乃至第７のいずれかのコネクタであって、
前記ロック部と前記バネ部とは、前記コネクタと前記相手側コネクタの嵌合方向において、異なる位置に位置している
コネクタを提供する。
【００１５】
また、本発明は、第９のコネクタとして、第１乃至第８のいずれかのコネクタであって、
前記相手側ロック部は、突起であり、
前記ロック部は、前記相手側ロック部の前記突起に対応する孔である
コネクタを提供する。
【００１６】
また、本発明は、第１０のコネクタとして、第１乃至第９のいずれかのコネクタであって、
前記第２ハウジングには、保持突起が設けられており、
前記保持突起は、前記コンタクトを前記第１ハウジングに対して押し付けており、それによって、前記コンタクトは、前記第１ハウジングと前記第２ハウジングとに保持されている
コネクタを提供する。
【発明の効果】
【００１７】
コンタクトを保持する部材を第１ハウジングと第２ハウジングの２つに分け、コンタクトを少なくとも部分的に第１ハウジングに収容させた後、第２ハウジングを第１ハウジングに取り付けて第１ハウジングと第２ハウジングとでコンタクトを保持することとした。従って、コンタクトにケーブルが接続されていても、コネクタを簡単に組み立てることができる。
【００１８】
操作部と操作部を操作する際に指をかける引掛け部とをケーブルの延びる方向（所定方向）において互いに離して設けたことから、横一列に配置された複数の相手側コネクタに対して複数のコネクタを接続した状態において、他のコネクタや他のコネクタに接続されたケーブルが邪魔になることなく、一つのコネクタをその相手側コネクタから容易に抜去することができる。
【図面の簡単な説明】
【００１９】
【図１】本発明の実施の形態によるコネクタを示す背面斜視図である。
【図２】図１のコネクタを示す分解斜視図である。
【図３】図１のコネクタを示す上面図である。
【図４】図１のコネクタを示す前面斜視図である。
【図５】図３のコネクタをＡ--Ａ線に沿って示す断面図である。
【図６】図５のコネクタのうちのＤ線で囲まれた部分を示す拡大図である。
【図７】図３のコネクタをＢ--Ｂ線に沿って示す断面図である。
【図８】図３のコネクタをＣ--Ｃ線に沿って示す断面図である。
【図９】図１のコネクタに含まれる第１ハウジングを示す背面図である。
【図１０】図９の第１ハウジングをＥ--Ｅ線に沿って示す断面図である。
【図１１】図１のコネクタに含まれる第２ハウジングを示す斜視図である。
【図１２】図１のコネクタと、相手側コネクタとを示す斜視図である。コネクタと相手側コネクタとは未嵌合状態にある。
【図１３】図１２のコネクタと相手側コネクタとを示す他の斜視図である。コネクタと相手側コネクタとは、図１２の状態に続く状態にある。
【図１４】図１２のコネクタと相手側コネクタとを示す他の斜視図である。コネクタと相手側コネクタとは嵌合状態にある。
【図１５】一列に並んだ相手側コネクタとコネクタとを示す斜視図である。コネクタと相手側コネクタとは未嵌合状態にある。
【図１６】図１５の相手側コネクタとコネクタとを示す他の斜視図である。コネクタと相手側コネクタとは嵌合状態にある。
【図１７】特許文献１のコネクタと相手側コネクタとを示す図である。
【発明を実施するための形態】
【００２０】
図１、図４、図５、図７及び図８に示されるように、本発明の実施の形態によるコネクタ１００は、ケーブル６００に接続されるものである。コネクタ１００に接続されたケーブル６００は、所定方向（Ｚ方向）に延びている。本実施の形態において、所定方向は上下方向である。図１２乃至図１４に示されるように、コネクタ１００は、相手側コネクタ５００と嵌合方向（Ｘ方向）に沿って嵌合可能である。このことから理解されるように、本実施の形態において、コネクタ１００と相手側コネクタ５００との嵌合方向は、ケーブル６００（図１参照）の延びる所定方向と直交又は交差している。なお、本実施の形態において、嵌合方向は前後方向ともいう。
【００２１】
図１２に示されるように、相手側コネクタ５００は、コネクタ１００と嵌合する相手側嵌合部５０５を有しており、相手側嵌合部５０５には２つの相手側ロック部５１０が設けられている。本実施の形態の相手側ロック部５１０は、上方（＋Ｚ方向）に突出している突起である。
【００２２】
図２、図５及び図８に示されるように、コネクタ１００は、絶縁体からなる第１ハウジング２００と、絶縁体からなる第２ハウジング３００と、導電体からなる４つのコンタクト４００とを備えている。
【００２３】
図２に示されるように、各コンタクト４００は、接触部４１０と、肩部４２０と、ケーブル保持部４３０とを有している。接触部４１０は、水平面（ＸＹ平面）と平行な形状、即ち平板形状を有している。図５及び図８に示されるように、ケーブル保持部４３０は、所定方向に延びるようにケーブル６００の端部６１０を保持するものである。図２に示されるように、肩部４２０は、接触部４１０とケーブル保持部４３０とを連結している。このことから理解されるように、本実施の形態のコネクタ１００は所謂アングルドタイプである。但し、本発明はこれに限定されるわけではなく、コネクタ１００は所謂ストレートタイプであってもよい。
【００２４】
図２及び図４を参照すると、第１ハウジング２００は、嵌合部２１０を有していると共に収容部２３０を有している。
【００２５】
図４、図５及び図８に示されるように、嵌合部２１０は、コネクタ１００の前端１０２（＋Ｘ側端部）において開口している。また、図４に示されるように、嵌合部２１０内には隔壁２２０が設けられており、嵌合部２１０を４つのスペースに分けている。これらスペースは、後述するようにコンタクト４００に夫々対応している。
【００２６】
図２及び図９に示されるように、嵌合部２１０の上部２１２には、２つの開口部２１４が形成されている。これらの開口部２１４は、相手側コネクタ５００の相手側ロック部５１０（図１２参照）に対応するように設けられている。
【００２７】
図２、図９及び図１０に示されるように、収容部２３０は、後方（−Ｘ方向）に開いている。図２及び図９に示されるように、収容部２３０内には隔壁２３２が設けられており、収容部２３０を４つのスペースに分けている。これらのスペースは後述するようにコンタクト４００に夫々対応している。
【００２８】
図１０に示されるように、嵌合部２１０の後壁部２１６には、収容部２３０に達する挿入口２１８が形成されている。挿入口２１８は、４つあり、夫々、コンタクト４００に対応している。各挿入口２１８は、前後方向と直交する面内（ＹＺ平面内）において細長いスリット状の形状を有している。図５、図８及び図１０から理解されるように、各挿入口２１８に対して接触部４１０を挿入すると、ケーブル保持部４３０が収容部２３０に収容され、接触部４１０が嵌合部２１０内において前方に向かって延びることとなる。このようにして、第１ハウジング２００は、少なくとも部分的にコンタクト４００を収容している。図２、図９及び図１０から理解されるように、収容部２３０の後側は開放されていることから、コンタクト４００にケーブル６００を接続した後でも、コンタクト４００を第１ハウジング２００に容易に収容することができる。
【００２９】
図２及び図１０に示されるように、収容部２３０の上部２３４には、２つの孔からなる第１上側係合部２３６が形成されている。また、収容部２３０の２つの側壁部２５０の下端（−Ｚ側端部）には、夫々、上側に凹んだ凹部からなる第１下側係合部２５２が形成されている。更に、図２に最もよく示されるように、収容部２３０の上部２３４と嵌合部２１０の上部２１２との間には段差があり、それによって、嵌合部２１０と収容部２３０と間には、第１位置規制部２４０が形成されている。本実施の形態の第１位置規制部２４０は、横方向（Ｙ方向）に延びている。
【００３０】
上述した第１ハウジング２００は、基本的に変形することを意図した構造ではない。従って、比較的硬い材料で形成されている。これに対して、以下に説明する第２ハウジング３００は、一部に弾性変形させる部位を有するものであるため、第１ハウジング２００ほど硬くない方がよい。このため、本実施の形態において、第１ハウジング２００は、第２ハウジング３００の材料よりも硬い材料で構成されている。これにより、第１ハウジング２００における堅牢性と、第２ハウジング３００の部分的なバネ性とを両立させることができる。
【００３１】
図２及び図５に示されるように、第２ハウジング３００は、収容部２３０を覆う覆壁部３１０を有している。覆壁部３１０は、概略、前後方向と直交する平面（ＹＺ平面）と平行に延びる板状の形状を有している。図１１に示されるように、覆壁部３１０の下端近傍には、横方向の外側に向かって突出した２つの第２下側係合部３１２が設けられている。第２下側係合部３１２は、第１下側係合部２５２（図２参照）に対応している。
【００３２】
図２、図５、図７及び図８に示されるように、第２ハウジング３００には、引掛け部３２０が設けられている。この引掛け部３２０は、後述するように、コネクタ１００を相手側コネクタ５００から抜去する際に、指をかける部分である。本実施の形態の引掛け部３２０は、覆壁部３１０の下端において後斜め下方向に延びる面で構成されている。即ち、引掛け部３２０は、嵌合方向（前後方向）と所定方向（上下方向）の双方と交差しており、指がかけやすくなっている。また、ケーブル６００の端部６１０がケーブル保持部４３０に保持された状態において、引掛け部３２０は嵌合方向（ケーブル６００の延びる方向と直交する直交方向）においてケーブル６００から離れて位置している。特に、本実施の形態においては、引掛け部３２０からケーブル６００までの距離は、ケーブル６００の直径以上であり、ケーブル６００と引掛け部３２０との間に指先を入れ易く、従って、引掛け部３２０に指先をかけ易くなっている。
【００３３】
図１１に示されるように、覆壁部３１０の前面には複数の保持突起３３０が形成されている。図５及び図８に示されるように、保持突起３３０は、第２ハウジング３００が第１ハウジング２００に取り付けられたときに、コンタクト４００を第１ハウジング２００に向けて押し付けるものである。
【００３４】
図７及び図８に示されるように、第２ハウジング３００は、バネ支持部３４０と、バネ部３５０と、シーソー部３６０とを更に有している。
【００３５】
図７、図８及び図１１に示されるように、バネ支持部３４０は、覆壁部３１０の上端から前方に延びている。図１１に示されるように、バネ支持部３４０には、２つの第２上側係合部３４２が形成されている。本実施の形態による第２上側係合部３４２は、下側に向かって突出した突起である。第２下側係合部３１２を第１ハウジング２００の第１下側係合部２５２（図２参照）に嵌め込み、更に、第２下側係合部３１２を軸として第２ハウジング３００を回転させると、第２上側係合部３４２は、収容部２３０の上部２３４（図２参照）に乗り上げた後、第１上側係合部２３６に受容される（図８参照）。このようにして、第２ハウジング３００は第１ハウジング２００に対して取り付けられる。このとき、図８に示されるように、保持突起３３０は収容部２３０に収容されたコンタクト４００を第１ハウジング２００に向けて押し付け、それによって、コンタクト４００は、第１ハウジング２００と第２ハウジング３００とにより保持されている。
【００３６】
図７、図８及び図１１に示されるように、バネ部３５０は、バネ支持部３４０に支持されている。バネ部３５０は、弾性変形可能であり、シーソー部３６０を支持している。図３に示されるように、シーソー部３６０は、上方から見た場合に、幅広いＵ字状の形状を有している。図３及び図１１から理解されるように、シーソー部３６０は、バネ部３５０よりも前側に位置する部分と後側に位置する部分とを有しており、後側の部分が下側に移動しようとするとき、前側の部分が上側に移動する。即ち、シーソー部３６０は、シーソー運動可能となるように、バネ部３５０に支持されている。換言すると、シーソー部３６０の横方向のほぼ中央から下方に延びるバネ部３５０が支点となり、シーソー部３６０がシーソー運動可能になる。
【００３７】
図１１に示されるように、シーソー部３６０には、第２位置規制部３６２と、操作部３７０と、ロック部３８０とが形成されている。即ち、操作部３７０及びロック部３８０は、バネ部３５０に支持されている。図６に示されるように、第２位置規制部３６２は、前後方向（嵌合方向）において、バネ部３５０よりも少し後側であるがバネ部３５０とほぼ同じ位置に位置している。操作部３７０は、バネ部３５０よりも後方に位置する面からなり、ロック部３８０は、バネ部３５０よりも前方に位置する孔からなる。この位置関係に起因して、操作部３７０を押圧操作して下側に移動させると、ロック部３８０は上側に移動する。図１２乃至図１４から理解されるように、ロック部３８０が上側に移動すると、操作部３７０が下側に移動する。
【００３８】
図１１に示されるように、本実施の形態の第２位置規制部３６２は２つある。図６に示されるように、第２位置規制部３６２の夫々は、第１位置規制部２４０の後方に位置しており、第１位置規制部２４０と前後方向において対向している。これにより、シーソー部３６０に対して前側に向かう大きな力（即ち、第１ハウジング２００に向かう大きな力）が加わった場合であっても、第２位置規制部３６２が第１位置規制部２４０に突き当り、シーソー部３６０の過度な移動が制限され、バネ部３５０が破損してしまうことを避けることができる。
【００３９】
図１２及び図１４から理解されるように、ロック部３８０は、コネクタ１００と相手側コネクタ５００とが嵌合した際に、相手側ロック部５１０をロックするものである。本実施の形態においては、上述したように、相手側ロック部５１０は突起であり、ロック部３８０はそれに対応する孔である。図２及び図６から理解されるように、第１ハウジング２００に対して第２ハウジング３００が取り付けられると、ロック部３８０は嵌合部２１０の上部２１２に設けられた開口部２１４内に位置する。これにより、嵌合部２１０内に挿入された相手側コネクタ５００（図１２参照）の相手側嵌合部５０５に設けられた相手側ロック部５１０が開口部２１４内においてロック部３８０にロックすることができる。ここで、上述したように、ロック部３８０はバネ部３５０とは嵌合方向において異なる位置に位置していることから、開口部２１４はロック部３８０のみに対応するように設ければよく、第１ハウジング２００に形成する開口部２１４の大きさを比較的小さくすることができ、第１ハウジング２００に必要とされる強度を確保することができる。
【００４０】
図１に示されるように、操作部３７０は、所定方向において、引掛け部３２０から離れて位置している。操作部３７０を構成する面は、シーソー部３６０の後端において後斜め上方向に延びている。即ち、操作部３７０は、嵌合方向（前後方向）と所定方向（上下方向）の双方と交差しており、操作しやすくなっている。引掛け部３２０に指先を引掛けた状態で操作部３７０を他の指で押圧して、操作部３７０を引掛け部３２０に向けて移動させる（即ち、下側に移動させる）と、ロック部３８０を上側に移動させることができる。図１２乃至図１４から理解されるように、操作部３７０を引掛け部３２０に向けて移動させるように操作すると、ロック部３８０の相手側ロック部５１０に対するロックが解除され、コネクタ１００を相手側コネクタ５００から抜去することができる。図１から理解されるように、操作部３７０を引掛け部３２０に向けて移動させるように操作するとき、操作者の手指はコネクタ１００の後側に位置しており、ケーブル６００等とは離れている。そのため、例えば、図１５及び図１６に示されるように、２つのブスバー７００，７１０間に取り付けられ一列に並べられた相手側コネクタ５００に対して、コネクタ１００を嵌合抜去する際に、他のコネクタ１００やケーブル６００などが邪魔になることがない。
【００４１】
以上、本発明について具体的に説明してきたが、本発明はこれに限定されるわけではなく、様々な変形が可能である。
【００４２】
上述した実施の形態において、コネクタ１００の相手側コネクタ５００に対する嵌合方向とケーブル６００の延びる方向とは直交していたが、本発明はこれに限定されるわけではなく、コネクタ１００の相手側コネクタ５００に対する嵌合方向とケーブル６００の延びる方向とが同じであってもよい。但し、コネクタ１００の相手側コネクタ５００からの抜去時の操作性を考慮すると、本実施の形態のように、嵌合方向とケーブル６００の延びる方向とが直交しているほうが好ましい。
【００４３】
上述した実施の形態において、コンタクト４００の本数は４本であったが、本発明はこれに限定されるわけではなく、コンタクト４００の本数は３本以下であってもよいし、５本以上であってもよい。
【００４４】
上述した実施の形態においては、相手側ロック部５１０が突起でありロック部３８０が孔であったが、本発明はこれに限定されるわけではなく、相手側ロック部５１０を孔とし、ロック部３８０を突起としてもよい。しかし、本実施の形態のように、相手側ロック部５１０を突起とし、ロック部３８０を孔とすると、相手側コネクタ５００に含まれる相手側コンタクト（図示せず）などを露出させなくて済むことから、相手側コネクタ５００は電源の供給側のコネクタとして使用するのに適する構造を有している。従って、相手側コネクタ５００の用途として電源供給側コネクタを想定してる場合には、ロック部３８０を孔とするか、もしくは、少なくとも相手側ロック部５１０の突起に対応する凹部とすることが好ましい。
【符号の説明】
【００４５】
１００        コネクタ
１０２        前端
２００        第１ハウジング
２１０        嵌合部
２１２        上部
２１４        開口部
２１６        後壁部
２１８        挿入口
２２０        隔壁
２３０        収容部
２３２        隔壁
２３４        上部
２３６        第１上側係合部
２４０        第１位置規制部
２５０        側壁部
２５２        第１下側係合部
３００        第２ハウジング
３１０        覆壁部
３１２        第２下側係合部
３２０        引掛け部
３３０        保持突起
３４０        バネ支持部
３４２        第２上側係合部
３５０        バネ部
３６０        シーソー部
３６２        第２位置規制部
３７０        操作部
３８０        ロック部
４００        コンタクト
４１０        接触部
４２０        肩部
４３０        ケーブル保持部
５００        相手側コネクタ
５０５        相手側嵌合部
５１０        相手側ロック部
６００        ケーブル
６１０        端部
７００，７１０        ブスバー
【図１】
0006278860.tif 000002
【図２】
0006278860.tif 000003
【図３】
0006278860.tif 000004
【図４】
0006278860.tif 000005
【図５】
0006278860.tif 000006
【図６】
0006278860.tif 000007
【図７】
0006278860.tif 000008
【図８】
0006278860.tif 000009
【図９】
0006278860.tif 000010
【図１０】
0006278860.tif 000011
【図１１】
0006278860.tif 000012
【図１２】
0006278860.tif 000013
【図１３】
0006278860.tif 000014
【図１４】
0006278860.tif 000015
【図１５】
0006278860.tif 000016
【図１６】
0006278860.tif 000017
【図１７】
0006278860.tif 000018